(57)【要約】      （修正有）【課題】広角の監視カメラ１台で複数の玄関周辺を撮像することができるインターホンシステムを提供する。【解決手段】屋外に設置される複数の玄関子機と、それぞれの玄関子機からの呼出に応答する複数の居室親機と、複数の居室親機に接続され、玄関子機周辺を撮像する監視カメラを備えたインターホンシステムにおいて、居室親機は、玄関子機から呼出されたとき、監視カメラにカメラ起動信号を送信するＣＰＵを備え、監視カメラは、複数の玄関子機周辺を撮像することができる撮像部と、それぞれの玄関子機に対応した当該玄関子機周辺を撮像する撮像範囲を記憶した玄関子機対応範囲記憶部と、居室親機からカメラ起動信号を受信したとき、玄関子機対応範囲記憶部から当該玄関子機に対応した撮像範囲情報を取り出し、ズーム、パンチルトを行うカメラ画面範囲制御部を備える。【選択図】図１
2010074750.tif 000002
【特許請求の範囲】
【請求項１】
屋外に設置される複数の玄関子機（１ａ、１ｂ、・・・）と、それぞれの玄関子機からの呼出に応答する複数の居室親機（２ａ、２ｂ、・・・）と、前記複数の居室親機に接続され、前記玄関子機周辺を撮像する監視カメラ（３）を備えたインターホンシステムにおいて、
前記居室親機は、前記玄関子機から呼出されたとき、前記監視カメラにカメラ起動信号を送信するＣＰＵ（２０４ａ、２０４ｂ、・・・）を備え、
前記監視カメラは、前記複数の玄関子機周辺を撮像することができる撮像部（３０１）と、それぞれの玄関子機に対応した当該玄関子機周辺を撮像する撮像範囲を記憶した玄関子機対応範囲記憶部（３０２）と、前記居室親機からカメラ起動信号を受信したとき、前記玄関子機対応範囲記憶部から当該玄関子機に対応した撮像範囲情報を取り出し、ズーム、パンチルトを行うカメラ画面範囲制御部（３０３）を備えたことを特徴とするインターホンシステム。
【請求項２】
前記監視カメラに、人物を検知するセンサ（３０４）と、前記センサが検知したときの撮像範囲を記憶したセンサ範囲記憶部（３０５）を備えることで、前記センサ範囲記憶部から撮像範囲情報を取り出し、ズーム、パンチルトを前記カメラ画像範囲制御部で行うことができることを特徴とする請求項１記載のインターホンシステム。
【請求項３】
前記監視カメラは、前記カメラで撮像された映像に顔があるかを判断する顔認証部（３０６）を備え、前記顔認証部で顔検知されなかった場合に、前記カメラで複数の玄関子機周辺全体を撮像することができる請求項１または２記載のインターホンシステム。
【発明の詳細な説明】
【技術分野】
【０００１】
本発明は、複数の玄関子機周辺を撮像することができる監視カメラを接続したインターホンシステムにおいて、玄関子機のカメラで撮像できない死角となる箇所を監視カメラで撮像することができるインターホンシステムに関する。
【背景技術】
【０００２】
従来から、玄関子機で撮像された映像を居室親機にて表示させるインターホン装置が広く知れ渡っており、監視カメラで撮像した映像をインターホン親機で確認することができた。
例えば、特許文献１では、複数の監視カメラで撮像した映像を居室親機で撮像することができ、死角となる箇所の映像も確認することができた。
【特許文献１】特開２００４−１７１４０３
【発明の開示】
【発明が解決しようとする課題】
【０００３】
しかし、特許文献１のような監視カメラはプライバシーの問題から、自宅周辺を監視する目的で使用される場合が殆どであり、監視カメラの撮像範囲は狭い範囲でしか活用できなかった。そのため、死角を出来る限り少なくする為に複数台の監視カメラを用いてセキュリティを高めてきた。
【０００４】
本発明は、上記問題を解決するためになされたものであって、広角カメラを備えた監視カメラによって死角となる箇所の映像を撮像することができ、プライバシーを保護するため自宅周辺のみ撮像することができるインターホンシステムを提供することを目的とする。
【課題を解決するための手段】
【０００５】
上記課題を解決するために、請求項１に記載の発明は、屋外に設置される複数の玄関子機と、それぞれの玄関子機からの呼出に応答する複数の居室親機と、複数の居室親機に接続され、玄関子機周辺を撮像する監視カメラを備えたインターホンシステムにおいて、居室親機は、玄関子機から呼出されたとき、監視カメラにカメラ起動信号を送信するＣＰＵを備え、監視カメラは、複数の玄関子機周辺を撮像することができる撮像部と、それぞれの玄関子機に対応した当該玄関子機周辺を撮像する撮像範囲を記憶した玄関子機対応範囲記憶部と、居室親機からのカメラ起動信号を受信したとき、玄関子機対応範囲記憶部から当該玄関子機に対応した撮像範囲情報を取り出し、ズーム、パンチルトを行うカメラ画面範囲制御部を備えたことを特徴とする。
【０００６】
このような発明によれば、来訪者が呼出を行ったとき、来訪者を含めた玄関周辺の状況を把握することができる。
【０００７】
請求項２の発明は監視カメラに、人物を検知するセンサと、センサが検知したときの撮像範囲を記憶したセンサ範囲記憶部を備えることで、センサ範囲記憶部から撮像範囲情報を取り出し、ズーム、パンチルトをカメラ画像範囲制御部で行うことができることを特徴とする。
【０００８】
このような発明によれば、センサで来訪者検知したとき、来訪者近傍の状況を把握することができる。
【０００９】
請求項３の発明は、監視カメラは、カメラで撮像された映像に顔があるかを判断する顔認証部を備え、顔認証部で顔検知されなかった場合に、カメラで複数の玄関子機周辺全体を撮像することができることを特徴とする。
【００１０】
このような発明によれば、監視カメラで撮像を開始し、人物を検出しなかったときには、複数の玄関子機周辺全体の状況を把握することができる。
【発明の効果】
【００１１】
本発明のインターホンシステムによれば、広角の監視カメラ１台で複数の玄関周辺を撮像することができるため、システム構成が安価にできる。
【発明を実施するための最良の形態】
【００１２】
以下、本発明のインターホンシステムを適用した最良の実施携帯例について、図面を参照して説明する。本発明のインターホンシステムは図１に示すように、玄関子機１ａ、１ｂ、・・・、居室親機２ａ、２ｂ、・・・、監視カメラ３で構成されている。図２はブロック構成図を示している。図３は監視カメラ３の撮像部３０１で撮像したときの撮像範囲を示した図である。
【００１３】
玄関子機１ａ、１ｂ、・・・は、玄関周辺を撮像する玄関カメラ１０１ａ、１０１ｂ、・・・と、来訪者が居住者を呼出すための呼出ボタン１０２ａ、１０２ｂ、・・・と、居住者と通話するための音響部１０３ａ、１０３ｂ、・・・と、居室親機２ａ、２ｂ、・・・と通信するための子機Ｉ／Ｆ１０４ａ、１０４ｂ、・・・で構成されている。
【００１４】
居室親機２ａ、２ｂ、・・・は、玄関カメラ１０１ａ、１０１ｂ、・・・で撮像された映像を出力するモニタ２０１ａ、２０１ｂ、・・・と、居住者が応答するための通話操作や玄関子機１ａ、１ｂ、・・・からの映像又は監視カメラ３からの映像を切替える操作を行う操作ボタン２０２ａ、２０２ｂ、・・・と、来訪者と通話するための音響部２０３ａ、２０３ｂ、・・・と、居室親機２ａ、２ｂ、・・・を制御するＣＰＵ２０４ａ、２０４ｂ、・・・と、玄関子機１ａ、１ｂ、・・・と通信するための親機Ｉ／Ｆ２０５ａ、２０５ｂ、・・・で構成されている。
【００１５】
監視カメラ３は、複数の玄関子機周辺を撮像する撮像部３０１と、それぞれの玄関子機１ａ、１ｂ、・・・に対応した撮像範囲を記憶した玄関子機対応範囲記憶部３０２と、居室親機２ａ、２ｂ、・・・からカメラ起動信号を受信したとき、玄関子機対応範囲記憶部３０２から呼出された玄関子機１ａ、１ｂ、・・・に対応した撮像範囲情報を取り出し、ズーム、パンチルト制御を行うカメラ画面範囲制御部３０３と、人物を検知するセンサ３０４と、センサ３０４で検知されたときに撮像する撮像範囲を記憶したセンサ範囲記憶部３０５と、撮像部３０１で撮像された映像に顔があるかを判断する顔認証部３０６と、居室親機２ａ、２ｂ、・・・と通信するためのカメラＩ／Ｆ３０７で構成されている。
【００１６】
このようなインターホンシステムにおいて動作説明を行なう。まず玄関子機１ｂにて呼出ボタン１０２ｂが操作されたときの動作説明を行う。
【００１７】
来訪者が玄関子機１ｂの呼出ボタン１０２ｂを操作すると、呼出信号が子機Ｉ／Ｆ１０４ｂ、親機Ｉ／Ｆ２０５ｂを介してＣＰＵ２０４ｂに呼出信号が送信されると共に、監視カメラ３にカメラ起動信号を送信する。呼出信号を受信したＣＰＵ２０４ｂは、音響部２０３ｂから呼出音を出力するよう制御する。さらに玄関子機１ｂの音響部１０３ｂからの音声信号を子機Ｉ／Ｆ１０４ｂ、親機Ｉ／Ｆ２０５ｂを介して居室親機２ｂの音響部２０３ｂへ音声信号を出力させると共に、玄関子機１ｂの玄関カメラ１０１ｂからの映像信号を子機Ｉ／Ｆ１０４ｂ、親機Ｉ／Ｆ２０５ｂを介して、モニタ２０１ｂに出力させる。このとき、居室親機の操作ボタン２０２ｂにて通話操作することにより、居室親機２ｂの音響部２０３ｂからの音声信号は、親機Ｉ／Ｆ２０５ｂ、子機Ｉ／Ｆ１０４ｂを介して玄関子機１ｂの音響部１０３ｂへ出力させることができる。
【００１８】
居室親機２ｂからのカメラ起動信号を受信した監視カメラ３は、玄関子機対応範囲記憶部３０２から玄関子機１ｂの撮像範囲情報をカメラ画面範囲制御部３０３に送信する。例えば図３（ａ）は、撮像部３０１で撮像可能な最大範囲を示しており、図３（ｂ）は玄関子機１ｂ〜１ｄで呼出されたときの撮像範囲を示している。玄関子機１ｂで呼出されると、図３（ｃ）の撮像範囲をカメラ画面範囲制御部３０３にてズーム、パンチルト制御を行い、撮像部３０１で図３（ｄ）のような撮像範囲の撮像を行う。撮像された映像信号は、カメラＩ／Ｆ３０７、親機Ｉ／Ｆ２０５ｂを介してモニタ２０１ｂに送信される。このときに、居室親機２ｂの映像の切替操作を操作ボタン２０２ｂで行うことにより、居室親機２ｂにて監視カメラ３の映像を確認することができる。
【００１９】
次に、監視カメラ３のセンサ３０４が人物を検知したときの監視カメラ３の動作説明を行う。
【００２０】
監視カメラ３のセンサ３０４で人物等を検知すると、センサ範囲記憶部３０５から撮像範囲情報をカメラ画面範囲制御部３０３に送信する。例えば図３（ｅ）のように、人物等を検出する検知範囲が予め設定されている。センサ３０４で人物等を検出すると、図（ｆ）の撮像範囲をカメラ画面範囲制御部３０３にてズーム、パンチルト制御を行い、撮像部３０１で図３（ｇ）のような撮像範囲の撮像を行う。撮像された映像信号は、カメラＩ／Ｆ３０７、親機Ｉ／Ｆ２０５ｂを介してモニタ２０１ｂに送信され、居室親機２ａ、２ｂ、・・・のモニタ２０１ａ、２０１ｂで確認することができる。
【００２１】
ここで、玄関子機１ａ、１ｂ、・・・からの呼出し又は、センサ３０４による人物検知を行い、撮像部３０１の撮像が開始されたときに、顔認証部３０６にて顔認証を行う。このとき撮像した映像に顔がないと判断した場合には、玄関子機対応範囲記憶部３０２またはセンサ範囲記憶部３０５で取得した撮像範囲情報を無視し、撮像部３０１で撮像可能な最大撮像範囲、例えば図３（ａ）の去る像範囲の映像を居室親機２ａ、２ｂ、・・・に送信することができる。
【００２２】
また、居室親機２ａ、２ｂ、・・・に録画する機能を備えることで、それぞれのモニタ２０１ａ、２０１ｂ、・・・に出力せずに録画することも可能である。
【００２３】
さらに、玄関子機対応範囲記憶部３０２またはセンサ範囲記憶部３０５の撮像範囲を任意に変更することも可能である。
【００２４】
第１乃至第３の実施例のように、広角の監視カメラ１台で複数の玄関周辺を撮像することができるため、システム構成が安価にできる。
【図面の簡単な説明】
【００２５】
【図１】本発明に係るインターホンシステムのシステム構成図。
【図２】本発明に係るインターホンシステムのブロック構成図。
【図３】本発明に係る監視カメラで撮像する撮像範囲図。
【符号の説明】
【００２６】
１ａ、１ｂ、・・・              玄関子機
２ａ、２ｂ、・・・              居室親機
２０４ａ、２０４ｂ、・・・    ＣＰＵ
３                              監視カメラ
３０１                        撮像部
３０２                        玄関子機対応範囲記憶部
３０３                        カメラ画面範囲制御部
【図１】
2010074750.tif 000003
【図２】
2010074750.tif 000004
【図３】
2010074750.tif 000005